(57)【要約】【課題】操作性を向上させる操作検出装置を提供する。【解決手段】操作検出装置１は、操作指によって操作領域１００になされた操作を検出して検出点を算出する検出部１０と、操作領域１００における検出点の移動可能な距離を算出する距離算出部１４と、距離算出部１４が算出した距離に基づいて、操作対象の操作装置に実行させることが可能な命令の範囲を推定して推定情報Ｓ４を出力する制御部１８と、を備えて概略構成されている。【選択図】図２
2015176417.tif 000002
【特許請求の範囲】
【請求項１】
検出対象によって操作領域になされた操作を検出して検出点を算出する検出部と、
前記操作領域における前記検出点の移動可能な距離を算出する距離算出部と、
前記距離算出部が算出した前記距離に基づいて、操作対象の操作装置に実行させることが可能な命令の範囲を推定して推定情報を出力する推定部と、
を備えた操作検出装置。
【請求項２】
前記距離算出部は、少なくとも１つの算出パターンを有し、前記検出部により算出された前記検出点の数に基づいて前記少なくとも１つの算出パターンから選択された算出パターンに基づいて前記検出点の移動可能な距離を算出する、
請求項１に記載の操作検出装置。
【請求項３】
前記距離算出部は、前記検出点が２つの場合、２つの前記検出点を結んだ直線を設定し、前記直線に沿った前記検出点間の距離、及び前記直線に沿った前記検出点から前記操作領域の辺までの距離、を算出する、
請求項１又は２に記載の操作検出装置。
【請求項４】
前記操作対象の操作装置が表示部に地図画像を表示させるナビゲーション装置である場合、
前記推定部は、前記距離算出部が算出した前記距離に基づいて、前記表示部に表示された前記地図画像の詳細限界と広域限界とを表示させる前記推定情報を生成する、
請求項１乃至３のいずれか１項に記載の操作検出装置。
【発明の詳細な説明】
【技術分野】
【０００１】
本発明は、操作検出装置に関する。
【背景技術】
【０００２】
従来の技術として、複数のタッチを検出するマルチタッチ検出センサを用い、２本の操作指のタッチにより画面の拡大或いは縮小の操作を検出し、検出した操作に基づいた拡大率或いは縮小率を２本の操作指の近傍に表示する拡大縮小操作縮尺表示方法が知られている（例えば、特許文献１参照。）。
【０００３】
この拡大縮小操作縮尺表示方法は、例えば、親指と人指し指の２本の操作指を用いて、地図等の拡大或いは縮小の操作を行った場合、２本の操作指の近傍に地図の縮尺を表示するので、現在の縮尺が分かり易い。
【先行技術文献】
【特許文献】
【０００４】
【特許文献１】特開２０１３−１８２５４３号公報
【発明の概要】
【発明が解決しようとする課題】
【０００５】
しかし、従来の拡大縮小操作縮尺表示方法は、操作によってどの程度拡大及び縮小が可能なのかが分からず、操作性が良くない。
【０００６】
従って、本発明の目的は、操作性を向上させる操作検出装置を提供することにある。
【課題を解決するための手段】
【０００７】
本発明の一態様は、検出対象によって操作領域になされた操作を検出して検出点を算出する検出部と、操作領域における検出点の移動可能な距離を算出する距離算出部と、距離算出部が算出した距離に基づいて、操作対象の操作装置に実行させることが可能な命令の範囲を推定して推定情報を出力する推定部と、を備えた操作検出装置を提供する。
【発明の効果】
【０００８】
本発明によれば、操作性を向上させることができる。
【図面の簡単な説明】
【０００９】
【図１】図１（ａ）は、第１の実施の形態に係る操作検出装置が搭載された車両内部の概略図であり、図１（ｂ）は、操作検出装置のブロック図であり、図１（ｃ）は、操作検出装置が電磁気的に接続される車両通信システムのブロック図である。
【図２】図２（ａ）及び図２（ｃ）は、第１の実施の形態に係る操作検出装置が接続されるナビゲーション装置の画像を表示する表示装置の概略図であり、図２（ｂ）及び図２（ｄ）は、操作領域になされた操作を示す概略図である。
【図３】図３は、第１の実施の形態に係る操作検出装置の動作を説明するためのフローチャートである。
【図４】図４（ａ）は、第２の実施の形態に係る操作検出装置が接続されるナビゲーション装置の画像を表示する表示装置の概略図であり、図４（ｂ）は、操作領域になされた操作を示す概略図であり、図４（ｃ）は、第３の実施の形態に係る操作検出装置が接続されるナビゲーション装置の画像を表示する表示装置の概略図であり、図４（ｄ）は、操作領域になされた操作を示す概略図である。
【図５】図５（ａ）は、第４の実施の形態に係る操作検出装置が接続される音楽再生装置の画像を表示する表示装置の概略図であり、図５（ｂ）は、操作領域になされた操作を示す概略図である。
【発明を実施するための形態】
【００１０】
（実施の形態の要約）
実施の形態に係る操作検出装置は、検出対象によって操作領域になされた操作を検出して検出点を算出する検出部と、操作領域における検出点の移動可能な距離を算出する距離算出部と、距離算出部が算出した距離に基づいて、操作対象の操作装置に実行させることが可能な命令の範囲を推定して推定情報を出力する推定部と、を備えて概略構成されている。
【００１１】
[第１の実施の形態]
（操作検出装置１の全体構成）
図１（ａ）は、第１の実施の形態に係る操作検出装置が搭載された車両内部の概略図であり、図１（ｂ）は、操作検出装置のブロック図であり、図１（ｃ）は、操作検出装置が電磁気的に接続される車両通信システムのブロック図である。なお、以下に記載する実施の形態に係る各図において、図形間の比率は、実際の比率とは異なる場合がある。また図１（ｂ）及び図１（ｃ）では、主な信号や情報の流れを矢印で示している。
【００１２】
この操作検出装置１は、一例として、図１（ａ）に示すように、車両５に搭載されているが、これに限定されない。また操作検出装置１は、例えば、車両５の運転席と助手席の間のセンターコンソール５０に配置されている。操作者は、センターコンソール５０に配置されたアームレスト５１に手を支持された状態で、操作検出装置１を操作することが可能となっている。
【００１３】
操作検出装置１は、例えば、電磁気的に接続された操作対象の操作装置としての電子機器の操作を行うことができるように構成されている。操作検出装置１は、検出対象としての導電性を有するペンや指による操作により、運転席と助手席の前方に位置するインストルメントパネル５２に配置された表示装置６に表示されたカーソル等の移動や選択、表示されたアイコンの選択、決定、ドラッグ、ドロップ等の指示を行うことができるように構成されている。本実施の形態では、検出対象としての指による操作について説明する。
【００１４】
なお、上述の電磁気的に接続とは、導電体による接続、電磁波の一種である光による接続、及び電磁波の一種である電波による接続の少なくとも１つを用いた接続である。
【００１５】
操作検出装置１は、操作指によって操作領域１００になされた操作を検出して検出点を算出する検出部１０と、操作領域１００における検出点の移動可能な距離を算出する距離算出部１４と、距離算出部１４が算出した距離に基づいて、操作対象の操作装置に実行させることが可能な命令の範囲を推定して推定情報Ｓ４を出力する推定部としての制御部１８と、を備えて概略構成されている。また操作検出装置１は、通信部１６を備えている。
【００１６】
ここで操作検出装置１は、操作対象の操作装置が、対応する機能を実行することができるような命令を出力するように構成されている。この操作対象の操作装置の機能が、一例として、上限と下限があるような機能である場合、操作領域１００になされた１回の操作により上限から下限までの値を指定することができないことがある。操作検出装置１は、例えば、操作領域１００になされた操作により指定できる上限から下限の間の範囲、つまり命令の範囲を推定して推定情報Ｓ４を生成するように構成されている。
【００１７】
（検出部１０の構成）
検出部１０は、例えば、操作指が触れた操作領域１００上の位置（検出点）を検出するタッチセンサである。操作者は、例えば、操作領域１００に操作を行うことにより、接続された電子機器の操作を行うことが可能となる。検出部１０としては、例えば、複数の検出指の検出が可能な静電容量方式等のタッチセンサを用いることが可能である。
【００１８】
この検出部１０は、例えば、操作領域１００に指が近づくことによる、検出電極と指との距離に反比例した電流の変化を検出するタッチセンサである。この検出電極は、図１（ｂ）に示すように、操作領域１００の下に複数設けられている。
【００１９】
検出電極は、細長く形成された複数の第１の検出電極１０１と複数の第２の検出電極１０２とが、絶縁されると共に交差するように配置されている。第１の検出電極１０１は、図１（ｂ）の紙面横方向に沿って定めされたｘ軸に交差するように、等間隔で配置されている。また第２の検出電極１０２は、図１（ｂ）の紙面縦方向に沿って定められたｙ軸に交差するように、等間隔で配置されている。このｘ軸とｙ軸の原点は、図１（ｂ）に示す操作領域１００の左上である。
【００２０】
検出部１０は、図１（ｂ）に示すように、第２の検出電極１０２を駆動する駆動部１１と、第１の検出電極１０１から静電容量を読み出す読出部１２と、を備えている。
【００２１】
駆動部１１は、制御部１８から取得した駆動信号Ｓ１に基づいた周期的な電流を第２の検出電極１０２に、順番に供給するように構成されている。
【００２２】
読出部１２は、１つの第２の検出電極１０２が駆動されている間に、第１の検出電極１０１との接続を順番に切り替えて静電容量を読み出すように構成されている。読出部１２は、しきい値１２０を有し、読み出した静電容量としきい値１２０とを比較して、検出点の座標の情報を含む検出点情報Ｓ２を出力するように構成されている。この検出点の座標の算出は、一例として、加重平均により行われる。
【００２３】
（距離算出部１４の構成）
図２（ａ）及び図２（ｃ）は、第１の実施の形態に係る操作検出装置が接続されるナビゲーション装置の画像を表示する表示装置の概略図であり、図２（ｂ）及び図２（ｄ）は、操作領域になされた操作を示す概略図である。
【００２４】
距離算出部１４は、少なくとも１つの算出パターンを有し、検出部１０により算出された検出点の数に基づいて少なくとも１つの算出パターンから選択された算出パターンに基づいて検出点の移動可能な距離を算出するように構成されている。
【００２５】
本実施の形態における距離算出部１４は、２つの検出点が検出された際の算出パターンを含む算出パターン情報１４０を有するものとする。
【００２６】
距離算出部１４は、例えば、検出点が２つの場合、２つの検出点を結んだ直線を設定し、直線に沿った検出点間の距離、及び直線に沿った検出点から操作領域１００の辺までの距離、を算出する、算出パターンを実行するように構成されている。
【００２７】
ここで、検出点が２つの場合の距離の算出パターンについて、図２（ａ）〜図２（ｄ）を参照して具体的に説明する。まず、操作対象の操作装置がナビゲーション装置７である場合に表示装置６に表示される画像の構成について説明する。
【００２８】
操作対象の操作装置がナビゲーション装置７である場合、図２（ａ）及び図２（ｃ）に示すように、表示装置６の表示画面６０には、地図画像が背景画像６１として表示される。
【００２９】
また表示画面６０の下部には、例えば、詳細アイコン６２、広域アイコン６３及び縮尺表示領域６４が、背景画像６１に重畳するように表示されている。詳細アイコン６２は、選択決定されることにより、この背景画像６１を拡大して詳細な地図を背景画像６１として表示させるアイコンである。広域アイコン６３は、選択決定されることにより、この背景画像６１を縮小して広域な地図を背景画像６１として表示させるアイコンである。
【００３０】
縮尺表示領域６４には、例えば、地図画像の実行可能な縮尺が表示されている。この縮尺は、例えば、図２（ａ）及び図２（ｃ）に示すように、０．２５ｋｍ〜６４ｋｍの範囲で切り替え可能である。なお、０．２５ｋｍは、縮尺として１／２５０００に相当し、６４ｋｍは、１／６４０万に相当するので、１／２５０００〜１／６４０万の範囲で詳細表示（拡大）及び広域表示（縮小）が可能であることを示している。
【００３１】
縮尺表示領域６４において、数字の下の丸い画像が他と比べて大きいものが、現在縮尺６５である。この現在縮尺６５は、背景画像６１としての地図画像の縮尺を示している。図２（ａ）及び図２（ｃ）において、現在縮尺６５より左側の縮尺は、地図画像の詳細表示を可能とし、右側の縮尺は、地図画像の広域表示を可能としている。
【００３２】
現在縮尺６５よりも左側に位置する黒い丸は、詳細限界６６であり、右側に位置する黒い丸は、広域限界６７である。以下では、上述の命令の範囲としての詳細限界６６及び広域限界６７について説明する。
【００３３】
操作者は、背景画像６１として表示されている地図画像を拡大して詳細表示させたい場合、操作検出装置１の操作領域１００に対する操作としてピンチアウトと呼ばれる操作を行えば良い。このピンチアウトとは、２つの操作指を操作領域１００に接触させた位置から、２つの操作指の間隔を広げた位置までの距離に比例して、地図画像を拡大させる操作である。従って、当該距離の長い方が短い方よりも詳細に地図画像を表示することが可能となる。なお、ピンチアウトは、双方の操作指を開く操作であっても、一方の操作指のみを移動させて操作指の間を開く操作であっても良い。
【００３４】
また操作者は、地図画像を縮小して広域表示させたい場合、操作検出装置１の操作領域１００に対する操作としてピンチインと呼ばれる操作を行えば良い。このピンチインとは、２つの操作指を操作領域１００に接触させた位置から、２つの操作指の間隔を狭めた位置までの距離に比例して、地図画像を縮小させる操作である。従って、当該距離が長い方が短い方よりも広域に地図画像を表示することが可能となる。なお、ピンチインは、双方の操作指を狭める操作であっても、一方の操作指のみを移動させて操作指の間を狭める操作であっても良い。
【００３５】
操作者が図２（ｂ）に示す位置に第１の操作指９１及び第２の操作指９２を接触させると、第１の操作指９１の検出点９１０、及び第２の操作指９２の検出点９２０が検出される。この検出点９１０及び検出点９２０がピンチアウト及びピンチインで移動できる距離が、詳細表示の限界、及び広域表示の限界を決定する。
【００３６】
そこで、距離算出部１４は、２つの検出点が検出されると、算出パターン情報１４０に基づいて、検出点９１０及び検出点９２０を結ぶ直線１４５を算出する。この直線１４５は、距離算出部１４が算出パターン情報１４０に基づいて推定する操作の軌道である。
【００３７】
この直線１４５は、図２（ｂ）に示すように、その左端は、操作領域１００の辺１００ａと点１４５ａにおいて交差し、その右端は、辺１００ｂと点１４５ｂにおいて交差する。従って、ピンチアウトによって、検出点９１０が移動可能な距離は、検出点９１０から点１４５ａまでの距離Ｌ１となる。また検出点９２０が移動可能な距離は、検出点９２０から点１４５ｂまでの距離Ｌ２となる。
【００３８】
ここで、ピンチアウトでは、上述のように、一方の操作指のみを他方の操作指から離し、続いて他方の操作指を一方の操作指から離すように操作することも可能である。従って、図２（ｂ）に示す検出点９１０及び検出点９２０により得られるピンチアウトの操作に基づく最大の距離は、距離Ｌ１と距離Ｌ２を加算した距離（Ｌ１＋Ｌ２）である。従って詳細表示の限界は、この距離（Ｌ１＋Ｌ２）に基づいて決定される。そこで、距離算出部１４は、距離Ｌ１と距離Ｌ２を加算した距離（Ｌ１＋Ｌ２）に基づいて距離情報Ｓ３を生成して、制御部１８に出力する。
【００３９】
またピンチインにおいては、上述のように、一方の操作指のみを移動させて操作指の間を狭めても良いので、２つの検出点間の距離に基づいて、広域表示の限界が決定する。従って距離算出部１４は、検出点９１０及び検出点９２０間の距離Ｌ３を算出し、広域表示における距離の情報を含む距離情報Ｓ３を生成する。
【００４０】
距離算出部１４は、上述のように、ピンチアウト及びピンチインにおいて推定される距離の情報を含んで生成された距離情報Ｓ３を制御部１８に出力する。
【００４１】
推定される詳細表示の限界、及び推定される広域表示の限界は、算出されたピンチアウト及びピンチインの距離に基づいて決まるものである。従ってナビゲーション装置７は、図２（ａ）に示すように、距離情報Ｓ３に基づいた推定情報Ｓ４を取得し、取得した推定情報Ｓ４に基づいて、詳細表示の限界として詳細限界６６が縮尺表示領域６４の２ｋｍに黒い丸として表示されると共に、広域表示の限界として広域限界６７が縮尺表示領域６４の３２ｋｍに黒い丸として表示されるように表示装置６を制御する。
【００４２】
また図２（ｄ）に示すように、第１の操作指９１と第２の操作指９２の間隔が狭い状態で操作領域１００に接触した場合、距離算出部１４は、上述のように、直線１４５を算出すると共に、点１４５ａ及び点１４５ｂを算出する。続いて、距離算出部１４は、距離Ｌ１〜距離Ｌ３を算出して距離情報Ｓ３として制御部１８に出力する。２つの操作指が接触するほど近い場合、図２（ｄ）に示すように、距離Ｌ３が小さく、この距離Ｌ３が広域表示の縮尺となるが、次の縮尺（図２（ｂ）では８ｋｍ）に切り替えるほどの距離ではないため、図２（ｃ）では、広域限界６７が表示されず、詳細限界６６のみが表示されている。
【００４３】
同様に、２つの操作指が、操作領域１００の辺の近く、つまりピンチアウトを殆ど行うことができない状態である場合、詳細限界６６が表示されず、広域限界６７のみが表示される。
【００４４】
（通信部１６の構成）
通信部１６は、図１（ｃ）に示すように、車両通信システム５４の車両ＬＡＮ（Local Area Network）５５に電磁気的に接続するように構成されている。この通信部１６は、制御部１８から出力された推定情報Ｓ４及び操作情報Ｓ５を、車両ＬＡＮ５５を介して操作対象の操作装置に出力すると共に、操作対象の操作装置から出力された命令情報１８０を取得するように構成されている。
【００４５】
この車両通信システム５４は、図１（ｃ）に示すように、主に、車両ＬＡＮ５５と、車両制御部５６と、表示装置６と、ナビゲーション装置７と、音楽再生装置８と、を備えて概略構成されている。
【００４６】
車両ＬＡＮ５５は、例えば、有線及び無線により、車両５に搭載された複数の電子機器と接続され、相互の情報等の交換を可能とするネットワークである。
【００４７】
車両制御部５６は、例えば、ＣＰＵ（Central Processing Unit）、半導体メモリであるＲＡＭ（Random Access Memory）及びＲＯＭ（Read Only Memory）等から構成されるマイクロコンピュータである。
【００４８】
表示装置６は、例えば、操作対象の操作装置の表示部として機能するように構成されている。
【００４９】
ナビゲーション装置７は、例えば、表示装置６に現在地を中心とした地図画像を表示させたり、現在地から目的地までの経路を算出し、表示装置６に表示させたりするように構成されている。
【００５０】
音楽再生装置８は、例えば、記憶媒体に記憶された音楽データを再生するように構成されている。また音楽再生装置８は、音楽の再生に加えて、映像の再生が行えるように構成されても良い。
【００５１】
（制御部１８の構成）
制御部１８は、記憶されたプログラムに従って、取得したデータに演算、加工等を行うＣＰＵ、半導体メモリであるＲＡＭ及びＲＯＭ等から構成されるマイクロコンピュータである。このＲＯＭには、例えば、制御部１８が動作するためのプログラムが格納されている。ＲＡＭは、例えば、一時的に演算結果等を格納する記憶領域として用いられる。
【００５２】
制御部１８は、命令の範囲に基づいた画像をナビゲーション装置７の表示部（表示装置６）に表示させる推定情報Ｓ４を生成するように構成されている。また制御部１８は、距離算出部１４が算出した距離に基づいて、表示装置６に表示された地図画像の詳細限界６６と広域限界６７とを表示させる推定情報Ｓ４を生成するように構成されている。この命令の範囲に基づいた画像とは、詳細限界６６と広域限界６７である。
【００５３】
また制御部１８は、図１（ｂ）に示すように、命令情報１８０を有している。この命令情報１８０とは、例えば、ナビゲーション装置７から取得したものであり、距離情報Ｓ３と、縮尺と、を対応させたものである。なお命令情報１８０は、１種類ではなく、操作対象の操作装置によっても、表示される画面構成によっても、異なる情報である。
【００５４】
制御部１８は、取得した距離情報Ｓ３と、命令情報１８０と、に基づいて、現在の縮尺から広域の限界の縮尺、及び詳細の限界の縮尺を推定し、推定情報Ｓ４を生成するように構成されている。
【００５５】
また制御部１８は、操作領域１００になされた操作の情報として、検出点の座標の情報を含む操作情報Ｓ５を生成して、出力するように構成されている。
【００５６】
以下に、本実施の形態に係る操作検出装置１の動作について、図３のフローチャートに従って説明する。
【００５７】
（動作）
操作検出装置１の制御部１８は、車両５の電源が投入されると、駆動信号Ｓ１を出力すると共に、検出点情報Ｓ２を取得する。
【００５８】
制御部１８は、検出点情報Ｓ２に基づいて検出点が検出されているか否かを判定する。制御部１８は、ステップ１の「Ｙｅｓ」が成立すると（Ｓ１：Ｙｅｓ）、距離算出部１４に検出点情報Ｓ２を出力する。
【００５９】
距離算出部１４は、取得した検出点情報Ｓ２に基づいて検出点の数を確認し、確認された検出点の数に基づいて算出パターン情報１４０から算出パターンを選択する（Ｓ２）。
【００６０】
距離算出部１４は、選択した算出パターンに基づいて操作が継続された場合に推定される検出点が移動する距離を算出すると共に、算出された距離に基づいて距離情報Ｓ３を生成し、制御部１８に出力する（Ｓ３）。
【００６１】
制御部１８は、距離算出部１４から距離情報Ｓ３を取得すると、取得した距離情報Ｓ３と、命令情報１８０と、に基づいて、命令の範囲としての詳細限界及び広域限界を推定する（Ｓ４）。
【００６２】
制御部１８は、推定した詳細限界及び広域限界に基づいて推定情報Ｓ４を生成すると共に、検出点の座標を含む操作情報Ｓ５を生成し、通信部１６を介して車両ＬＡＮ５５に出力する（Ｓ５）。
【００６３】
車両ＬＡＮ５５を介して推定情報Ｓ４を取得したナビゲーション装置７は、縮尺表示領域６４に、推定情報Ｓ４に基づいた詳細限界６６及び広域限界６７を表示装置６に表示させると共に、操作情報Ｓ５に基づいて機能を実行する。
【００６４】
（第１の実施の形態の効果）
本実施の形態に係る操作検出装置１は、操作性を向上させることができる。具体的には、操作検出装置１は、検出点の移動可能な距離を算出し、算出した距離に基づいて命令の範囲を推定して推定情報Ｓ４を出力するように構成されている。従って、操作検出装置１は、それらの構成を備えない場合と比べて、推定情報Ｓ４を取得したナビゲーション装置７において命令の範囲としての詳細限界６６及び広域限界６７を表示装置６に表示させることが可能となって、操作者が詳細限界６６及び広域限界６７を認識し易くなり、操作性が向上する。
【００６５】
操作検出装置１は、検出点の移動可能な距離を用いて、命令の範囲を推定するので、なされたジェスチャを判定して命令の範囲を推定する場合と比べて、低い処理能力のマイクロコンピュータを使用でき、低コストで製造することができる。
【００６６】
操作検出装置１は、操作対象の操作装置が実行可能な命令の範囲を表示させるので、表示させない場合と比べて、操作者が操作指に視線を移動して、移動可能な距離を確認するような動作を抑制し、その結果として視線移動を抑制させることができる。
【００６７】
［第２の実施の形態］
第２の実施の形態は、検出点が１つである点で上述の実施の形態と異なっている。
【００６８】
図４（ａ）は、第２の実施の形態に係る操作検出装置が接続されるナビゲーション装置の画像を表示する表示装置の概略図であり、図４（ｂ）は、操作領域になされた操作を示す概略図である。なお以下に記載する実施の形態において、第１の実施の形態と同じ機能及び構成を有する部分は、第１の実施の形態と同じ符号を付し、その説明は省略するものとする。
【００６９】
本実施の形態の距離算出部１４は、検出点が１つである場合の算出パターンを含む算出パターン情報１４０を有している。従って算出パターン情報１４０は、第１の実施の形態の算出パターンと合わせて、複数の算出パターンを有している。
【００７０】
距離算出部１４は、例えば、検出点が１つである場合、検出点９１０から操作領域１００の辺１００ａ〜辺１００ｄまでの最短距離を算出する。算出パターンの一例として、まず距離算出部１４は、図４（ｂ）に示すように、検出点９１０で交差する２つの直線１４６及び直線１４７を算出する。この直線１４６は、ｙ軸に直交する直線であり、直線１４７は、ｘ軸と直交する直線である。続いて距離算出部１４は、直線１４６に沿って、検出点９１０と操作領域１００の辺１００ａ及び辺１００ｂと、が交差する点１４６ａ及び点１４６ｂまでの距離Ｌ１及び距離Ｌ２を算出すると共に、直線１４７に沿って、検出点９１０と操作領域１００の辺１００ｃ及び辺１００ｄと、が交差する点１４７ａ及び点１４７ｂまでの距離Ｌ３及び距離Ｌ４を算出する。この距離Ｌ１〜距離Ｌ４が、検出点９１０から操作領域１００の各辺までの最短距離となっている。
【００７１】
また距離Ｌ１〜距離Ｌ４は、検出点９１０が操作領域１００を、ｘ軸方向及びｙ軸方向に移動可能な距離を示している。
【００７２】
距離算出部１４は、上述のように算出した距離Ｌ１〜距離Ｌ４に基づいて、距離情報Ｓ３を生成し、制御部１８に出力する。
【００７３】
制御部１８は、取得した距離情報Ｓ３に基づいて推定情報Ｓ４を生成し、通信部１６及び車両ＬＡＮ５５を介して操作対象の操作装置に出力する。この推定情報Ｓ４は、算出された距離Ｌ１〜距離Ｌ４に基づいて、カーソル６８が移動可能な領域を表示するために必要な情報を含むものである。
【００７４】
ナビゲーション装置７は、取得した推定情報Ｓ４に基づいて、図４（ａ）に点線で示す操作可能領域６８ａを表示画面６０に表示させる。
【００７５】
ここで、表示画面６０と操作領域１００とが、相対座標系を構成する場合、検出点９１０に対応して表示画面６０に表示されたカーソル６８は、例えば、操作領域１００になされたなぞり操作の距離に基づいて移動する。従って操作者が検出点９１０から操作領域１００の辺まで操作しても、カーソル６８は、表示画面６０の端に到達しない可能性がある。
【００７６】
上述の操作可能領域６８ａは、現在の操作を継続することによって、カーソル６８が移動することが可能な領域を図示したものであるので、操作者にとって、操作によってカーソル６８をどこまで移動させられるかが容易に分かり、操作性が良い。
【００７７】
従って操作検出装置１は、上述のような推定情報Ｓ４を生成して出力することにより、表示画面６０に操作可能領域６８ａを操作対象の操作装置に表示させることができるので、表示させない場合と比べて、操作者が操作領域１００に対する操作指の位置を確認しなくても操作可能な領域が分かるので、操作性が向上する。
【００７８】
［第３の実施の形態］
第３の実施の形態は、移動可能な距離の表示の仕方が上述の実施の形態と異なっている。
【００７９】
図４（ｃ）は、第３の実施の形態に係る操作検出装置が接続されるナビゲーション装置の画像を表示する表示装置の概略図であり、図４（ｄ）は、操作領域になされた操作を示す概略図である。
【００８０】
距離算出部１４は、例えば、検出点が１つである場合、検出点９１０から操作領域１００の辺１００ａ〜辺１００ｄまでの最短距離を算出する。算出パターンの一例として、まず距離算出部１４は、図４（ｄ）に示すように、検出点９１０で交差する２つの直線１４６及び直線１４７を算出する。続いて距離算出部１４は、直線１４６に沿って、検出点９１０と操作領域１００の辺１００ａ及び辺１００ｂと、が交差する点１４６ａ及び点１４６ｂまでの距離Ｌ１及び距離Ｌ２を算出すると共に、直線１４７に沿って、検出点９１０と操作領域１００の辺１００ｃ及び辺１００ｄと、が交差する点１４７ａ及び点１４７ｂまでの距離Ｌ３及び距離Ｌ４を算出する。この距離Ｌ１〜距離Ｌ４が、検出点９１０から操作領域１００の各辺までの最短距離となっている。
【００８１】
また距離Ｌ１〜距離Ｌ４は、検出点９１０が操作領域１００を、ｘ軸方向及びｙ軸方向に移動可能な距離を示している。
【００８２】
距離算出部１４は、上述のように算出した距離Ｌ１〜距離Ｌ４に基づいて、距離情報Ｓ３を生成し、制御部１８に出力する。
【００８３】
制御部１８は、取得した距離情報Ｓ３に基づいて推定情報Ｓ４を生成し、通信部１６及び車両ＬＡＮ５５を介して操作対象の操作装置に出力する。この推定情報Ｓ４は、算出された距離Ｌ１〜距離Ｌ４に基づいて、カーソル６９が移動可能な距離を示す矢印６９ａ〜矢印６９ｄを表示するために必要な情報を含むものである。
【００８４】
ナビゲーション装置７は、取得した推定情報Ｓ４に基づいて、図４（ｂ）に示す矢印６９ａ〜矢印６９ｄを表示画面６０に表示させる。
【００８５】
この矢印６９ａ〜矢印６９ｄは、カーソル６９を中心に放射状に図示され、操作可能な距離に応じた長さを有している。矢印６９ａは、操作領域１００における距離Ｌ１に比例した長さを有している。矢印６９ｂは、操作領域１００における距離Ｌ２に比例した長さを有している。矢印６９ｃは、操作領域１００における距離Ｌ３に比例した長さを有している。矢印６９ｄは、操作領域１００における距離Ｌ４に比例した長さを有している。
【００８６】
操作検出装置１は、操作可能な距離Ｌ１〜距離Ｌ４に基づいた長さを有する矢印６９ａ〜矢印６９ｄを表示装置６に表示させることができるので、矢印を表示しない場合と比べて、操作者が操作領域１００に対する操作指の位置を確認しなくても操作可能な領域が分かるので、操作性が向上する。
【００８７】
なお変形例として、表示させる矢印は、ｘ軸方向及びｙ軸方向のみならず、さらに複数の矢印を放射状に表示させても良い。
【００８８】
［第４の実施の形態］
第４の実施の形態は、操作可能な領域を、表示方法を変えて表示する点で上述の実施の形態と異なっている。
【００８９】
図５（ａ）は、第４の実施の形態に係る操作検出装置が接続される音楽再生装置の画像を表示する表示装置の概略図であり、図５（ｂ）は、操作領域になされた操作を示す概略図である。本実施の形態では、操作対象の操作装置は、音楽再生装置８である。まず、以下では、図５（ａ）に示す表示画面６０の画面構成について説明する。
【００９０】
図５（ａ）は、音楽再生装置８が表示装置６に表示させている画面の一部である。この表示画面６０には、一例として、背景画像６１に重畳して、スライドバー６５０と、項目６５１〜項目６５６と、が表示されている。なお項目は、表示されている項目以外にも複数用意されているものとする。
【００９１】
スライドバー６５０は、例えば、複数の項目を選択する際に用いるアイコンである。操作者が、図５（ａ）の紙面において、スライドバー６５０を上方向になぞり操作を行うと、一番下に位置する項目６５６からさらに下の項目が表示され、下方向になぞり操作を行うと、一番上に位置する項目６５１からさらに上の項目が表示される。
【００９２】
なおスライドバー６５０は、例えば、音楽ファイルの再生音の音量を調整することを可能とするアイコンであっても良い。この場合、操作者がスライドバー６５０に対して、上方向になぞり操作を行うと、音量が大きくなり、下方向になぞり操作を行うと、音量が小さくなる。
【００９３】
項目６５１〜項目６５６は、一例として、音楽ファイル名を表示したアイコンである。音楽再生装置８は、この項目６５１〜項目６５６以外にも複数の項目を有するものとする。図５（ａ）の紙面において斜線が施された項目６５３は、例えば、選択されていることを示すものとする。
【００９４】
本実施の形態の距離算出部１４は、図５（ｂ）に示すように、ｙ軸方向の最短距離として距離Ｌ１及び距離Ｌ２を算出する。なお変形例として、距離算出部１４は、例えば、ｘ軸及びｙ軸に沿った最短距離として距離Ｌ１〜距離Ｌ４を算出し、制御部１８が命令情報１８０に基づいて必要な距離を選択して推定情報Ｓ４を生成する構成であっても良い。
【００９５】
距離算出部１４は、算出結果に基づいて距離情報Ｓ３を生成し、制御部１８に出力する。制御部１８は、取得した距離情報Ｓ３と、音楽再生装置８から取得した命令情報１８０と、に基づいて推定情報Ｓ４を生成し、出力する。
【００９６】
この推定情報Ｓ４は、検出点９１０がスライドバー６５０のどの位置に相当し、その位置からどれだけ操作が可能であるのかを示す情報を含むものである。
【００９７】
音楽再生装置８は、取得した推定情報Ｓ４に基づいて、図５（ａ）に示す第１の領域６５０ａと第２の領域６５０ｂを有するスライドバー６５０を表示装置６に表示させる。
【００９８】
具体的には、図５（ａ）において、左肩上がりの斜線で示す第１の領域６５０ａは、距離Ｌ１に基づいて定められた領域である。また図５（ａ）において、右肩上がりの斜線で示す第２の領域６５０ｂは、距離Ｌ２に基づいて定められた領域である。従って検出点９１０の位置は、第１の領域６５０ａと第２の領域６５０ｂとの境界上の位置に相当する。
【００９９】
従って、第１の領域６５０ａは、現在の操作指９１の検出点９１０から上方向に、どれだけ操作が可能であるのかを示すと共に、第２の領域６５０ｂは、下方向に、どれだけ操作が可能であるのかを示している。
【０１００】
なお第１の領域６５０ａと第２の領域６５０ｂは、例えば、色を変えて表示させても良いし、輝度を変えて表示させても良い。
【０１０１】
操作検出装置１は、現在の操作指の位置からどれだけ操作が可能であるのかを表示装置６に表示させることができるので、表示させない場合と比べて、操作者が容易に確認することができて、操作性が向上する。
【０１０２】
上述の実施の形態及び変形例に係る操作検出装置１は、例えば、用途に応じて、その一部が、コンピュータが実行するプログラム、ＡＳＩＣ（Application Specific Integrated Circuit）及びＦＰＧＡ（Field Programmable Gate Array）等によって実現されても良い。
【０１０３】
なお、ＡＳＩＣとは、特定用途向け集積回路であり、ＦＰＧＡとは、プログラミングすることができるＬＳＩ（大規模集積回路：Large Scale Integration）である。
【０１０４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１０５】
１…操作検出装置、５…車両、６…表示装置、７…ナビゲーション装置、８…音楽再生装置、１０…検出部、１１…駆動部、１２…読出部、１４…距離算出部、１６…通信部、１８…制御部、５０…センターコンソール、５１…アームレスト、５２…インストルメントパネル、５４…車両通信システム、５５…車両ＬＡＮ、５６…車両制御部、６０…表示画面、６１…背景画像、６２…詳細アイコン、６３…広域アイコン、６４…縮尺表示領域、６５…現在縮尺、６６…詳細限界、６７…広域限界、６８…カーソル、６８ａ…操作可能領域、６９…カーソル、６９ａ〜６９ｄ…矢印、９１…第１の操作指、９２…第２の操作指、１００…操作領域、１００ａ〜１００ｄ…辺、１０１…第１の検出電極、１０２…第２の検出電極、１２０…しきい値、１４０…算出パターン情報、１４５…直線、１４５ａ…点、１４５ｂ…点、１４６…直線、１４６ａ…点、１４６ｂ…点、１４７…直線、１４７ａ…点、１４７ｂ…点、１８０…命令情報、６５０…スライドバー、６５０ａ…第１の領域、６５０ｂ…第２の領域、６５１〜６５６…項目、９１０…検出点、９２０…検出点
【図１】
2015176417.tif 000003
【図２】
2015176417.tif 000004
【図３】
2015176417.tif 000005
【図４】
2015176417.tif 000006
【図５】
2015176417.tif 000007